(57)【要約】【課題】携帯端末の現在位置する場所やその場所に位置している日時等に応じて携帯端末の一部または全部の機能を制限する等、携帯端末の機能制限を柔軟に行う。【解決手段】情報管理サーバ２０は、携帯端末１０の現在位置の情報を受信すると、第１のＤＢ２０３1や第２のＤＢ２０３2を検索し、携帯端末１０の現在位置がイベント実施場所のいずれかの位置と一致するか、現在日時が当該イベント実施場所にて行われるイベントのイベント実施日時のいずれかに一致するかに応じて、携帯端末１０の制限内容を決定する。携帯端末１０は、情報管理サーバ２０にて決定された制限内容に基づいて、機能制限時に制御対象となる構成要素の一部または全部の動作を制御する。【選択図】図１
2005175901.tif 000002
【特許請求の範囲】
【請求項１】
携帯端末と、ネットワークを介して前記携帯端末に接続され、前記携帯端末の現在位置に応じて前記携帯端末の機能を制限するための情報を管理する情報管理サーバとを有してなる通信システムにおいて、
前記携帯端末は、
前記携帯端末の現在位置を測位し、測位した現在位置の情報を前記情報管理サーバに前記ネットワークを介して送信する測位手段を有し、
前記情報管理サーバは、
前記携帯端末の機能を制限するイベントが行われるイベント実施場所の情報と、当該イベント実施場所に応じて予め決められている前記携帯端末の制限内容の情報とを格納する第１の格納手段と、
前記イベント実施場所にて行われるイベントのイベント実施日時およびイベント内容の情報と、当該イベント実施日時に行われる当該イベント内容に応じて予め決められている前記携帯端末の制限内容の情報とを格納する第２の格納手段と、
前記携帯端末から現在位置の情報が送信されてきた場合に、前記第１および第２の格納手段を検索し、前記携帯端末の現在位置が前記イベント実施場所のいずれかの位置と一致するかの判断結果、および現在日時が前記携帯端末の現在位置と一致する前記イベント実施場所での前記イベント実施日時のいずれかに一致するかの判断結果に応じて前記携帯端末の制限内容を決定し、決定した制限内容の機能制限情報を前記携帯端末に前記ネットワークを介して送信する情報管理手段とを有し、
さらに、前記携帯端末は、
前記携帯端末の機能制限を行う際の制御対象となる１つ以上の制御対象手段と、
前記情報管理サーバから前記機能制限情報が送信されてきた場合に、当該機能制限情報に基づいて、前記制御対象手段の一部または全部についての動作を制御する制御手段とを有することを特徴とする通信システム。
【請求項２】
前記情報管理手段は、前記携帯端末の現在位置が前記イベント実施場所のいずれかの位置と一致するが、現在時刻が当該イベント実施場所にて行われるイベントのイベント実施日時のいずれにも一致しない場合、当該イベント実施場所に応じて予め決められている制限内容に前記携帯端末の制限内容を決定し、また、前記携帯端末の現在位置が前記イベント実施場所のいずれかの位置と一致し、かつ、現在時刻が当該イベント実施場所にて行われるイベントのイベント実施日時のいずれかに一致する場合、当該イベント実施日時に行われる前記イベント内容に応じて予め決められている制限内容に前記携帯端末の制限内容を決定する、請求項１に記載の通信システム。
【請求項３】
前記情報管理手段は、前記第１および第２の格納手段の情報を最新の情報に更新する、請求項１または２に記載の通信システム。
【請求項４】
前記情報管理サーバは、前記第１および第２の格納手段の情報に変更があった場合、前記第１および第２の格納手段の変更後の情報に基づく前記機能制限情報を前記携帯端末に前記ネットワークを介して送信する情報変更通知手段をさらに有する、請求項１から３のいずれか１項に記載の通信システム。
【請求項５】
前記情報管理手段は、前記第１および第２の格納手段から、前記携帯端末の制限内容が互いに異なる前記機能制限情報を複数検索した場合、当該複数の機能制限情報を前記携帯端末に前記ネットワークを介して送信し、当該複数の機能制限情報のいずれかを選択するよう促す、請求項１から４のいずれか１項に記載の通信システム。
【請求項６】
携帯端末と、ネットワークを介して前記携帯端末に接続され、前記携帯端末の現在位置に応じて前記携帯端末の機能を制限するための情報を管理する情報管理サーバとを有してなる通信システムにおいて、
前記携帯端末は、
前記携帯端末の現在位置を測位し、測位した現在位置の情報を前記情報管理サーバに前記ネットワークを介して送信する測位手段を有し、
前記情報管理サーバは、
前記携帯端末の機能を制限するイベントが行われるイベント実施場所の情報を格納する第１の格納手段と、
前記イベント実施場所にて行われるイベントのイベント実施日時およびイベント内容の情報を格納する第２の格納手段と、
前記携帯端末から現在位置の情報が送信されてきた場合に、前記第１および第２の格納手段に格納されている全イベントについてのイベント実施場所、イベント実施日時およびイベント内容を含むイベント実施情報を前記携帯端末に前記ネットワークを介して送信する情報管理手段とを有し、
さらに、前記携帯端末は、
前記携帯端末の機能制限を行う際の制御対象となる１つ以上の制御対象手段と、
前記情報管理サーバから前記イベント実施情報が送信されてきた場合に、当該イベント実施情報を参照し、前記携帯端末の現在位置が前記イベント実施場所のいずれかの位置と一致するかの判断結果、および現在日時が前記携帯端末の現在位置と一致する前記イベント実施場所での前記イベント実施日時のいずれかに一致するかの判断結果に応じて前記携帯端末の制限内容を決定し、決定した制限内容に基づいて、前記制御対象手段の一部または全部についての動作を制御する制御手段とを有することを特徴とする通信システム。
【請求項７】
前記制御手段は、前記携帯端末の現在位置が前記イベント実施場所のいずれかの位置と一致するが、現在時刻が当該イベント実施場所にて行われるイベントのイベント実施日時のいずれにも一致しない場合、当該イベント実施場所に基づいて前記携帯端末の制限内容を決定し、また、前記携帯端末の現在位置が前記イベント実施場所のいずれかの位置と一致し、かつ、現在時刻が当該イベント実施場所にて行われるイベントのイベント実施日時のいずれかに一致する場合、当該イベント実施日時に行われる前記イベント内容に基づいて前記携帯端末の制限内容を決定する、請求項６に記載の通信システム。
【請求項８】
前記情報管理手段は、前記第１および第２の格納手段の情報を最新の情報に更新する、請求項６または７に記載の通信システム。
【請求項９】
前記情報管理サーバは、前記第１および第２の格納手段の情報に変更があった場合、前記第１および第２の格納手段の変更後の前記イベント実施情報を前記携帯端末に前記ネットワークを介して送信する情報変更通知手段をさらに有する、請求項６から８のいずれか１項に記載の通信システム。
【請求項１０】
前記情報管理手段は、前記第１および第２の格納手段から、前記イベントの実施内容が互いに異なる前記イベント実施情報を複数検索した場合、当該複数のイベント実施情報を前記携帯端末に前記ネットワークを介して送信し、当該複数のイベント実施情報のいずれかを選択するよう促す、請求項６から９のいずれか１項に記載の通信システム。
【請求項１１】
ネットワークを介して情報管理サーバに接続され、前記情報管理サーバにて管理されている情報に応じて機能制限を行う携帯端末において、
前記携帯端末の現在位置を測位し、測位した現在位置の情報を前記情報管理サーバにネットワークを介して送信する測位手段と、
前記携帯端末の機能制限を行う際の制御対象となる１つ以上の制御対象手段と、
前記情報管理サーバから前記携帯端末の現在位置に応じた制限内容を示す機能制限情報が送信されてきた場合に、当該機能制限情報に基づいて、前記制御対象手段の一部または全部についての動作を制御する制御手段とを有することを特徴とする携帯端末。
【請求項１２】
ネットワークを介して情報管理サーバに接続され、前記情報管理サーバにて管理されている情報に応じて機能制限を行う携帯端末において、
前記携帯端末の現在位置を測位し、測位した現在位置の情報を前記情報管理サーバにネットワークを介して送信する測位手段と、
前記携帯端末の機能制限を行う際の制御対象となる１つ以上の制御対象手段と、
前記情報管理サーバから前記携帯端末の機能を制限する全イベントについての実施内容を示すイベント実施情報が送信されてきた場合に、当該イベント実施情報を参照し、前記携帯端末の現在位置が前記イベント実施場所のいずれかの位置と一致するかの判断結果、および現在日時が前記携帯端末の現在位置と一致する前記イベント実施場所での前記イベント実施日時のいずれかに一致するかの判断結果に応じて前記携帯端末の制限内容を決定し、決定した制限内容に基づいて、前記制御対象手段の一部または全部についての動作を制御する制御手段とを有することを特徴とする携帯端末。
【請求項１３】
前記制御手段は、前記携帯端末の現在位置が前記イベント実施場所のいずれかの位置と一致するが、現在時刻が当該イベント実施場所にて行われるイベントのイベント実施日時のいずれにも一致しない場合、当該イベント実施場所に基づいて前記携帯端末の制限内容を決定し、また、前記携帯端末の現在位置が前記イベント実施場所のいずれかの位置と一致し、かつ、現在時刻が当該イベント実施場所にて行われるイベントのイベント実施日時のいずれかに一致する場合、当該イベント実施日時に行われる前記イベント内容に基づいて前記携帯端末の制限内容を決定する、請求項１２に記載の携帯端末。
【請求項１４】
ネットワークを介して携帯端末に接続され、前記携帯端末の現在位置に応じて前記携帯端末の機能を制限するための情報を管理する情報管理サーバにおいて、
前記携帯端末の機能を制限するイベントが行われるイベント実施場所の情報と、当該イベント実施場所に応じて予め決められている前記携帯端末の制限内容の情報とを格納する第１の格納手段と、
前記イベント実施場所にて行われるイベントのイベント実施日時およびイベント内容の情報と、当該イベント実施日時に行われる当該イベント内容に応じて予め決められている前記携帯端末の制限内容の情報とを格納する第２の格納手段と、
前記携帯端末から現在位置の情報が送信されてきた場合に、前記第１および第２の格納手段を検索し、前記携帯端末の現在位置が前記イベント実施場所のいずれかの位置と一致するかの判断結果、および現在日時が前記携帯端末の現在位置と一致する前記イベント実施場所での前記イベント実施日時のいずれかに一致するかの判断結果に応じて前記携帯端末の制限内容を決定し、決定した制限内容の機能制限情報を前記携帯端末に前記ネットワークを介して送信する情報管理手段とを有することを特徴とする情報管理サーバ。
【請求項１５】
前記情報管理手段は、前記携帯端末の現在位置が前記イベント実施場所のいずれかの位置と一致するが、現在時刻が当該イベント実施場所にて行われるイベントのイベント実施日時のいずれにも一致しない場合、当該イベント実施場所に応じて予め決められている制限内容に前記携帯端末の制限内容を決定し、また、前記携帯端末の現在位置が前記イベント実施場所のいずれかの位置と一致し、かつ、現在時刻が当該イベント実施場所にて行われるイベントのイベント実施日時のいずれかに一致する場合、当該イベント実施日時に行われる前記イベント内容に応じて予め決められている制限内容に前記携帯端末の制限内容を決定する、請求項１４に記載の情報管理サーバ。
【請求項１６】
前記情報管理手段は、前記第１および第２の格納手段の情報を最新の情報に更新する、請求項１４または１５に記載の情報管理サーバ。
【請求項１７】
前記第１および第２の格納手段の情報に変更があった場合、前記第１および第２の格納手段の変更後の情報に基づく前記機能制限情報を前記携帯端末に前記ネットワークを介して送信する情報変更通知手段をさらに有する、請求項１４から１６のいずれか１項に記載の情報管理サーバ。
【請求項１８】
前記情報管理手段は、前記第１および第２の格納手段から、前記携帯端末の制限内容が互いに異なる前記機能制限情報を複数検索した場合、当該複数の機能制限情報を前記携帯端末に前記ネットワークを介して送信し、当該複数の機能制限情報のいずれかを選択するよう促す、請求項１４から１７のいずれか１項に記載の情報管理サーバ。
【請求項１９】
ネットワークを介して携帯端末に接続され、前記携帯端末の現在位置に応じて前記携帯端末の機能を制限するための情報を管理する情報管理サーバにおいて、
前記携帯端末の機能を制限するイベントが行われるイベント実施場所の情報を格納する第１の格納手段と、
前記イベント実施場所にて行われるイベントのイベント実施日時およびイベント内容の情報を格納する第２の格納手段と、
前記携帯端末から現在位置の情報が送信されてきた場合に、前記第１および第２の格納手段に格納されている全イベントについてのイベント実施場所、イベント実施日時およびイベント内容を含むイベント実施情報を前記携帯端末に前記ネットワークを介して送信する情報管理手段とを有することを特徴とする情報管理サーバ。
【請求項２０】
前記情報管理手段は、前記第１および第２の格納手段の情報を最新の情報に更新する、請求項１９に記載の情報管理サーバ。
【請求項２１】
前記第１および第２の格納手段の情報に変更があった場合、前記第１および第２の格納手段の変更後の前記イベント実施情報を前記携帯端末に前記ネットワークを介して送信する情報変更通知手段をさらに有する、請求項１９または２０に記載の情報管理サーバ。
【請求項２２】
前記情報管理手段は、前記第１および第２の格納手段から、前記イベントの実施内容が互いに異なる前記イベント実施情報を複数検索した場合、当該複数のイベント実施情報を前記携帯端末に前記ネットワークを介して送信し、当該複数のイベント実施情報のいずれかを選択するよう促す、請求項１９から２１のいずれか１項に記載の情報管理サーバ。
【発明の詳細な説明】
【技術分野】
【０００１】
本発明は、携帯端末の現在位置に応じて当該携帯端末の機能を制限する通信システム、携帯端末、情報管理サーバに関するものである。
【背景技術】
【０００２】
従来、携帯電話での通話が好ましくない映画館、コンサート会場などにいる時は、ユーザ自身で無線通信を不可とする設定を手動で行い、携帯端末における無線通信機能を制限していた。しかしながら、そのような場所にいる時に、ユーザが上述の設定をし忘れてしまうケースは多々ある。
【０００３】
そこで、最近では、例えば、特許文献１において、携帯電話での通話を制限すべき特定場所の位置情報と携帯電話の現在位置情報とを比較し、携帯電話が特定場所に位置していると判断した時には、無線部の動作を自動的に停止する携帯電話装置が開示されている。
【０００４】
特許文献１に開示された携帯電話装置によれば、特定場所に位置している時に、ユーザ自身で手動による設定を行わなくても、携帯端末における無線通信機能を自動的に制限することができるという利点がある。
【特許文献１】特開２００２−１５２８２８号公報
【発明の開示】
【発明が解決しようとする課題】
【０００５】
しかし、特許文献１に開示された技術においては、例えば、特定場所が映画館である場合、映画の上映時間以外の時間帯では、必ずしも携帯電話の機能を制限する必要がないにも関わらず、自動的に携帯電話の機能が制限されてしまうという問題点があった。
【０００６】
また、特許文献１に開示された技術においては、特定場所が、例えば、通話が許可されていないが電子メールの利用は許可されている場所であったとしても、自動的に携帯電話の無線部の動作が停止されてしまうため、電子メールを利用することすらもできなくなってしまうという問題点があった。
【０００７】
そこで、本発明の目的は、携帯端末の現在位置する場所やその場所に位置している日時等に応じて携帯端末の一部または全部の機能を制限する等、携帯端末の機能制限を柔軟に行うことができる通信システム、携帯端末、情報管理サーバを提供することにある。
【課題を解決するための手段】
【０００８】
上記目的を達成するために本発明の一態様による通信システムは、携帯端末と、ネットワークを介して前記携帯端末に接続され、前記携帯端末の現在位置に応じて前記携帯端末の機能を制限するための情報を管理する情報管理サーバとを有してなる通信システムにおいて、前記携帯端末は、前記携帯端末の現在位置を測位し、測位した現在位置の情報を前記情報管理サーバに前記ネットワークを介して送信する測位手段を有し、前記情報管理サーバは、前記携帯端末の機能を制限するイベントが行われるイベント実施場所の情報と、当該イベント実施場所に応じて予め決められている前記携帯端末の制限内容の情報とを格納する第１の格納手段と、前記イベント実施場所にて行われるイベントのイベント実施日時およびイベント内容の情報と、当該イベント実施日時に行われる当該イベント内容に応じて予め決められている前記携帯端末の制限内容の情報とを格納する第２の格納手段と、前記携帯端末から現在位置の情報が送信されてきた場合に、前記第１および第２の格納手段を検索し、前記携帯端末の現在位置が前記イベント実施場所のいずれかの位置と一致するかの判断結果、および現在日時が前記携帯端末の現在位置と一致する前記イベント実施場所での前記イベント実施日時のいずれかに一致するかの判断結果に応じて前記携帯端末の制限内容を決定し、決定した制限内容の機能制限情報を前記携帯端末に前記ネットワークを介して送信する情報管理手段とを有し、さらに、前記携帯端末は、前記携帯端末の機能制限を行う際の制御対象となる１つ以上の制御対象手段と、前記情報管理サーバから前記機能制限情報が送信されてきた場合に、当該機能制限情報に基づいて、前記制御対象手段の一部または全部についての動作を制御する制御手段とを有することを特徴とする。具体的には、前記情報管理手段は、前記携帯端末の現在位置が前記イベント実施場所のいずれかの位置と一致するが、現在時刻が当該イベント実施場所にて行われるイベントのイベント実施日時のいずれにも一致しない場合、当該イベント実施場所に応じて予め決められている制限内容に前記携帯端末の制限内容を決定し、また、前記携帯端末の現在位置が前記イベント実施場所のいずれかの位置と一致し、かつ、現在時刻が当該イベント実施場所にて行われるイベントのイベント実施日時のいずれかに一致する場合、当該イベント実施日時に行われる前記イベント内容に応じて予め決められている制限内容に前記携帯端末の制限内容を決定する。
【０００９】
本発明によれば、携帯端末の機能制限を行うイベントについて、イベント実施場所に応じた制限内容を予め設定したり、イベント実施日時に行われるイベント内容に応じた制限内容を予め設定したりすることにより、携帯端末の現在位置する場所やその場所に位置している日時等に応じて携帯端末の一部または全部の機能を制限することが可能となる。また、イベントを実施する主催者側で、携帯端末の制限すべき機能を自由に設定することも可能である。
【００１０】
また、前記情報管理手段は、前記第１および第２の格納手段の情報を最新の情報に更新することとしても良い。本発明によれば、イベント実施日時等が変更になったとしても、その変更された日時に機能制限を行う日時を追従させることが可能となる。
【００１１】
また、前記情報管理サーバは、前記第１および第２の格納手段の情報に変更があった場合、前記第１および第２の格納手段の変更後の情報に基づく前記機能制限情報を前記携帯端末に前記ネットワークを介して送信する情報変更通知手段をさらに有することとしても良い。本発明によれば、携帯端末が現在位置を測位不能な状態になり、情報管理サーバへ現在位置の情報が送信されないために、第１および第２の格納手段の変更後の情報に基づく機能制限情報が携帯端末に送信されないことを回避可能となる。
【００１２】
また、前記情報管理手段は、前記第１および第２の格納手段から、前記携帯端末の制限内容が互いに異なる前記機能制限情報を複数検索した場合、当該複数の機能制限情報を前記携帯端末に前記ネットワークを介して送信し、当該複数の機能制限情報のいずれかを選択するよう促すこととしても良い。本発明によれば、情報管理サーバ側で複数の機能制限情報が検索された場合に、複数の機能制限情報の中から携帯端末側に最適な情報を選択させることが可能となる。
【００１３】
上記目的を達成するために本発明の他の態様による通信システムは、携帯端末と、ネットワークを介して前記携帯端末に接続され、前記携帯端末の現在位置に応じて前記携帯端末の機能を制限するための情報を管理する情報管理サーバとを有してなる通信システムにおいて、前記携帯端末は、前記携帯端末の現在位置を測位し、測位した現在位置の情報を前記情報管理サーバに前記ネットワークを介して送信する測位手段を有し、前記情報管理サーバは、前記携帯端末の機能を制限するイベントが行われるイベント実施場所の情報を格納する第１の格納手段と、前記イベント実施場所にて行われるイベントのイベント実施日時およびイベント内容の情報を格納する第２の格納手段と、前記携帯端末から現在位置の情報が送信されてきた場合に、前記第１および第２の格納手段に格納されている全イベントについてのイベント実施場所、イベント実施日時およびイベント内容を含むイベント実施情報を前記携帯端末に前記ネットワークを介して送信する情報管理手段とを有し、さらに、前記携帯端末は、前記携帯端末の機能制限を行う際の制御対象となる１つ以上の制御対象手段と、前記情報管理サーバから前記イベント実施情報が送信されてきた場合に、当該イベント実施情報を参照し、前記携帯端末の現在位置が前記イベント実施場所のいずれかの位置と一致するかの判断結果、および現在日時が前記携帯端末の現在位置と一致する前記イベント実施場所での前記イベント実施日時のいずれかに一致するかの判断結果に応じて前記携帯端末の制限内容を決定し、決定した制限内容に基づいて、前記制御対象手段の一部または全部についての動作を制御する制御手段とを有することを特徴とする。
【００１４】
本発明によれば、携帯端末側で、携帯端末の機能制限を行うイベントについて、イベント実施場所や、イベント実施日時に行われるイベント内容に基づき制限内容を決定することにより、携帯端末の現在位置する場所やその場所に位置している日時等に応じて携帯端末の一部または全部の機能を制限することが可能となる。
【発明の効果】
【００１５】
以上説明したように本発明においては、携帯端末の現在位置する場所やその場所に位置している日時に応じて携帯端末の一部または全部の機能を制限することができる等、携帯端末の機能制限を柔軟に行うことができる。
【発明を実施するための最良の形態】
【００１６】
以下、本発明を実施するための最良の形態について図面を参照して説明する。
【００１７】
（第１の実施形態）
図１を参照すると、本発明の第１の実施形態による通信システムは、携帯端末１０と、携帯端末１０の位置に応じて当該携帯端末１０の機能を制限するための情報を管理する情報管理サーバ２０と、携帯端末１０と情報管理サーバ２０とを相互に接続するインターネット等であるネットワーク３０とを有している。なお、図１においては、説明の便宜のために携帯端末１０が１つだけ図示されているが、携帯端末１０の数は１つ以上であれば特に制限はない。
【００１８】
ここで、携帯端末１０および情報管理サーバ２０のそれぞれの構成について説明する。
【００１９】
まず、情報管理サーバ２０の構成について説明する。
【００２０】
情報管理サーバ２０は、通信部２０１と、情報管理部２０２と、第１のＤＢ（データベース）２０３1と、第２のＤＢ２０３2と、情報変更通知部２０４と、時計部２０５とを有している。
【００２１】
通信部２０１は、ネットワーク３０に接続され、ネットワーク３０を介して携帯端末１０との間で各種情報を送受信する部分である。
【００２２】
時計部２０５は、時計機能を備え、現在日時を発生する部分である。
【００２３】
第１のＤＢ２０３1および第２のＤＢ２０３2は、携帯端末１０の機能を制限するイベントに関する情報を格納する部分である。
【００２４】
図２（ａ）を参照すると、第１のＤＢ２０３1には、携帯端末１０の機能を制限するイベントが行われるイベント実施場所の情報と、当該イベント実施場所に応じて予め決められている携帯端末１０の制限内容の情報とが格納されている。
【００２５】
図２（ｂ）を参照すると、第２のＤＢ２０３2には、第１のＤＢ２０３1に格納されているイベント実施場所にて行われるイベントのイベント実施日時およびイベント内容の情報と、当該イベント実施日時に行われる当該イベント内容に応じて予め決められている携帯端末１０の制限内容の情報とが格納されている。なお、図２（ａ）および（ｂ）に示した情報はあくまで一例であり、本発明がこれに限定されないのは言うまでもない。
【００２６】
ここで、本明細書中、「イベント」とは、携帯端末１０の機能を制限する事象として広い概念で定義されるものとする。例えば、図２（ａ）および（ｂ）に示すように、診察等のために病院内に位置するという事象は、一般的には「イベント」に相当するものではないが、病院は一年中昼夜を問わず、携帯端末１０の機能を制限すべき場所であることから、病院内に位置するという事象も本明細書中では「イベント」に相当するものとする。その他、サッカー大会、コンサート、美術品展示、映画上映等は当然に「イベント」に相当するものとする。
【００２７】
情報管理部２０２は、携帯端末１０にて測位された現在位置の情報が携帯端末１０からネットワーク３０を介して通信部２０１に送信されてきた場合に、第１のＤＢ２０３1および第２のＤＢ２０３2を検索し、携帯端末１０の現在位置がイベント実施場所のいずれかの位置に一致しているか、時計部２０５にて発生した現在日時が携帯端末１０の現在位置と一致するイベント実施場所でのイベント実施日時のいずれかと一致しているかに応じて携帯端末１０の制限内容を決定し、その制限内容の機能制限情報を通信部２０１からネットワーク３０を介して携帯端末１０に送信する。
【００２８】
具体的には、情報管理部２０２は、第１のＤＢ２０３1および第２のＤＢ２０３2を検索し、携帯端末１０の現在位置がイベント実施場所のいずれかの位置と一致している場合であっても、現在日時が当該イベント実施場所にて行われるイベントのイベント実施日時のいずれにも一致しない場合は、イベント実施場所に応じて予め決められている制限内容に携帯端末１０の制限内容を決定する。また、携帯端末１０の現在位置がイベント実施場所のいずれかの位置と一致し、かつ、現在日時が当該イベント実施場所にて行われるイベントのイベント実施日時のいずれかに一致する場合は、当該イベント実施日時に行われるイベント内容に応じて予め決められている制限内容に携帯端末１０の制限内容を決定する。
【００２９】
例えば、図２（ａ）および（ｂ）において、情報管理部２０２は、携帯端末１０の現在位置がＣ美術館の位置と一致すると判断した場合には、さらに、現在日時がＣ美術館の開館時間である１０：００−１８：００と一致するか判断する。ここで、現在日時がＣ美術館の開館時間内でないと判断した場合には、Ｃ美術館という場所に応じて予め決められている「カメラ撮影」のみを制限することに決定する。また、現在日時がＣ美術館の開館時間内であると判断した場合には、開館時間内に行われている美術品展示という内容に応じて予め決められている「通話」「鳴音着信報知」「カメラ撮影」を制限することに決定する。
【００３０】
情報変更通知部２０４は、第１のＤＢ２０３1および第２のＤＢ２０３2の情報に変更があった場合には、第１のＤＢ２０３1および第２のＤＢ２０３2の変更後の情報に基づく機能制限情報を通信部２０１からネットワーク３０を介して携帯端末１０に送信する。送信方法としては、電子メールによる送信が一般的なものとして考えられる。
【００３１】
次に、携帯端末１０の構成について説明する。
【００３２】
携帯端末１０は、携帯電話等であり、通信部１０１と、測位部１０２と、入力部１０３と、メモリ１０４と、スピーカ１０５と、マイク１０６と、表示部１０７と、カメラ１０８と、バイブレータ１０９と、時計部１１０と、制御部１１１とを有している。
【００３３】
通信部１０１は、無線アンテナ（不図示）から携帯電話回線網（不図示）を介してネットワーク３に接続され、ネットワーク３を介して情報管理サーバ２０との間で各種情報を送受信する部分である。
【００３４】
測位部１０２は、一定時間ごとに、携帯端末１０の現在位置を測位し、測位した現在位置の情報を通信部１０１からネットワーク３０を介して情報管理サーバ２０に送信する部分である。測位方法としては、公知技術を用いることができ、例えば、ＧＰＳ（Global Positioning System）衛星から受信されたＧＰＳデータに基づいて現在位置を測位する方法や、携帯端末１０と無線基地局（不図示）との間の距離データに基づいて現在位置を測位する方法等が考えられる。なお、測位部１０２は、測位方法が異なる複数の測位手段（ＧＰＳ衛星を利用した測位手段や、無線基地局を利用した測位手段）を備えることとし、最初に、優先順位の高い測位手段を用いて測位し、その測位手段で測位できなかった場合には次に優先順位の高い測位手段を用いて測位するといった手順で現在位置を測位することとしても良い。また、測位部１０２は、いずれの測位方法でも現在位置が測位できない場合には、最後に測位された位置データに基づき、現在位置を推定することとしても良い。
【００３５】
入力部１０３は、各種情報の入力に使用するテンキー、スクロール／決定キー等からなる部分であり、メモリ部１０４は、各種情報が格納される部分である。
【００３６】
時計部１１０は、時計機能を備え、現在日時データを発生する部分である。
【００３７】
スピーカ１０５は、音声を出力する部分であり、例えば、携帯端末１０を通常の携帯電話もしくはテレビ電話として使用している時には、通話相手の受話音声を出力したり、着信があったことを鳴音により報知したりする。
【００３８】
マイク１０６は、音声を集音する部分であり、例えば、携帯端末１０を通常の携帯電話もしくはテレビ電話として使用している時には、携帯端末１０のユーザの送話音声を集音する。
【００３９】
表示部１０７は、画像を表示する部分であり、例えば、携帯端末１０をテレビ電話として使用している時には、通話相手を撮影した画像データを表示する。
【００４０】
カメラ１０８は、画像（静止画や動画）を撮影する部分であり、例えば、携帯端末１０をテレビ電話として使用している時には、携帯端末１０のユーザを撮影する
バイブレータ１０９は、例えば、携帯端末１０を通常の携帯電話もしくはテレビ電話として使用している時には、着信があったことを振動により報知する部分である。
【００４１】
本実施形態では、上記のスピーカ１０５、マイク１０６、表示部１０７、カメラ１０８、およびバイブレータ１０９の各構成要素が、携帯端末１０の機能制限を行う際の制御対象となる制御対象手段に該当するものとする。なお、制御対象手段は１つ以上設けられていればその数に制限はなく、また、制御対象手段を上記以外の構成要素とすることができることは言うまでもない。
【００４２】
制御部１１１は、携帯端末１０内の各構成要素を制御する部分である。特に、携帯端末１０の機能制限を行う際には、制御対象手段となっているスピーカ１０５、マイク１０６、表示部１０７、カメラ１０８、およびバイブレータ１０９の制御を行う。
【００４３】
具体的には、制御部１１１は、携帯端末１０の機能制限情報が情報管理サーバ２０から通信部１０１に送信されてきた場合に、その機能制限情報に基づいて、上記のスピーカ１０５、マイク１０６、表示部１０７、カメラ１０８、およびバイブレータ１０９の各構成要素の一部または全部の制御を行う。
【００４４】
例えば、図２（ａ）および（ｂ）において、制御部１１１は、携帯端末１０が現在Ｄ映画館に位置し、上映時間中であるために、「通話」「鳴音着信報知」「バックライト点灯」が制限されていると機能制限情報により判断した場合、スピーカ１０５およびマイク１０６については全部の動作を停止し、表示部１０７についてはバックライトが点灯しないよう一部の動作を停止するよう制御する。なお、制御部１１１は、携帯端末１０の機能制限が行われないことを機能制限情報により判断した場合、携帯端末１０内の各構成要素を通常通り制御する。
【００４５】
以下、図１に示した通信システムの動作について、図３のフローチャートを参照して説明する。
【００４６】
図３を参照すると、まず、携帯端末１０において、測位部１０２が、携帯端末１０の現在位置を測位し（ステップ３０１）、測位した現在位置の情報を通信部１０１からネットワーク３０を介して情報管理サーバ２０に送信する（ステップ３０２）。
【００４７】
情報管理サーバ２０においては、ステップ３０２で携帯端末１０からネットワーク３０を介して送信されてきた携帯端末１０の現在位置の情報が通信部２０１にて受信された場合、情報管理部２０２が、第１のＤＢ２０３1を検索し、携帯端末１０の現在位置がイベント実施場所のいずれかの位置と一致するかを判断する（ステップ３０３）。
【００４８】
ステップ３０３において、携帯端末１０の現在位置がイベント実施場所のいずれかの位置と一致する場合、続いて、情報管理部２０２は、第２のＤＢ２０３2を検索し、時計部２０５にて発生した現在日時がイベント実施場所でのイベント実施日時のいずれかと一致するかを判断する（ステップ３０４）。
【００４９】
ステップ３０４において、現在日時がイベント実施場所でのイベント実施日時のいずれかと一致する場合、情報管理部２０２は、携帯端末１０の制限内容を、イベント実施日時にて行われるイベント内容に基づく制限内容に決定し、決定した制限内容の機能制限情報を、通信部２０１からネットワーク３０を介して携帯端末１０に送信する（ステップ３０５）。
【００５０】
また、ステップ３０４において、現在日時がイベント実施場所でのイベント実施日時のいずれにも一致しない場合、情報管理部２０２は、携帯端末１０の制限内容を、イベント実施場所日時に基づく制限内容に決定し、決定した制限内容の機能制限情報を、通信部２０１からネットワーク３０を介して携帯端末１０に送信する（ステップ３０６）。
【００５１】
なお、ステップ３０３において、携帯端末１０の現在位置がイベント実施場所のいずれの位置にも一致しない場合には、情報管理部２０２は、携帯端末１０の機能制限をしないことに決定し、その旨の機能制限情報を通信部２０１からネットワーク３０を介して携帯端末１０に行う（ステップ３０７）。
【００５２】
携帯端末１０においては、制御部１１１が、ステップ３０５，３０６または３０７で情報管理サーバ２０からネットワーク３０を介して通信部１０１にて受信された機能制限情報に基づき、携帯端末１０の機能制限を行うか否かを判断する（ステップ３０８）。
【００５３】
ステップ３０８において、携帯端末１０の機能制限を行う場合、制御部１１１は、ステップ３０５または３０７の機能制限情報に基づいて、制御対象手段としてのスピーカ１０５、マイク１０６、表示部１０７、カメラ１０８、およびバイブレータ１０９の一部または全部の動作を制御する（ステップ３０９）。
【００５４】
また、ステップ３０８において、携帯端末１０の機能制限を行わない場合、制御部１１１は、携帯端末１０内の各構成要素を通常通り制御する（ステップ３１０）。
【００５５】
なお、本実施形態においては、携帯端末１０内の測位部１０２は、一定時間ごとに、現在位置を測位し、現在位置データを情報管理サーバ２０に送信することを行うため、図３の動作も一定時間ごとに行われることになる。
【００５６】
また、情報管理サーバ２０内の情報管理部２０２は、第１のＤＢ２０３1および第２のＤＢ２０３2の情報を、常時最新の情報に更新するものとする。これにより、例えば、サッカーの試合で延長戦が行われて試合時間が変更になったとしても、機能制限を行う時間を試合時間の変更に追従させることができる。
【００５７】
ただし、情報管理サーバ２０から携帯端末１０に機能制限情報を送信した以降、携帯端末１０が電波の届かない建物内に入る等の理由により、携帯端末１０の現在位置を測位不能な状態になる場合がある。このような場合は、携帯端末１０から情報管理サーバ２０へ現在位置の情報を送信することは行われないため、第１のＤＢ２０３1および第２のＤＢ２０３2の情報が最新情報に変更されたとしても、変更後の情報に基づく機能制限情報が携帯端末１０に送信されることがない。そこで、情報管理サーバ２０内の情報変更通知部２０４は、第１のＤＢ２０３1および第２のＤＢ２０３2の情報内容に変更があった場合には、変更後の情報に基づく機能制限情報を通信部２０１からネットワーク３０を介して携帯端末１０に送信することとする。また、携帯端末１０は、変更後の情報に基づく機能制限情報が通知された時に、例えば、「鳴音着信報知」が制限されている場所に移動している場合もある。そこで、携帯端末１０内の制御部１１１は、情報管理サーバ２０から変更後の情報に基づく機能制限情報が送信されてきた場合にも、その機能制限情報に基づいて、制御対象手段（「鳴音着信報知」を制限する場合は、スピーカ１０５）の一部または全部の動作を制御することとする。
【００５８】
また、携帯端末１０が位置している建物が複合施設等であり、例えば、同一建物内の別の階に映画館とコンサート会場とがある場合、イベント実施場所としては共通であるため、携帯端末１０の機能を制限するイベントが複数検索されることもある。このような場合、複数のイベント間で制限内容が異なると、情報管理サーバ２０内の情報管理部２０２は、第１のＤＢ２０３1および第２のＤＢ２０３2から制限内容が互いに異なる複数の機能制限情報を取得することになる。このような場合、情報管理部２０２は、複数の機能制限情報を携帯端末１０にネットワーク３０を介して送信し、複数の機能制限情報のいずれかを選択するよう促すこととする。この場合、携帯端末１０の制御部１１１は、機能制限情報の選択画面を表示部１０７に表示し、いずれかの機能制限情報を選択して選択結果を入力部１０３に入力するようユーザに指示しても良く、また、制御部１１１が独自に判断して制限が最も厳しい条件を選択することとしても良い。
【００５９】
また、情報管理サーバ２０においては、第１のＤＢ２０３1および第２のＤＢ２０３2が分離されているが、第１のＤＢ２０３1および第２のＤＢ２０３2は一体になっていても良い。
【００６０】
（第２の実施形態）
図４を参照すると、本発明の第２の実施形態による通信システムは、携帯端末４０と、携帯端末４０の位置に応じて当該携帯端末４０の機能を制限するための情報を管理する情報管理サーバ５０と、携帯端末４０と情報管理サーバ５０とを相互に接続するインターネット等であるネットワーク６０とを有している。なお、図４においては、説明の便宜のために携帯端末４０が１つだけ図示されているが、携帯端末４０の数は１つ以上であれば特に制限はない。
【００６１】
本実施形態は、携帯端末４０の制限内容が予め決められておらず、携帯端末４０で決定する点が第１の実施形態とは異なる。
【００６２】
ここで、携帯端末４０および情報管理サーバ５０のそれぞれの構成について説明する。
【００６３】
まず、情報管理サーバ５０の構成について説明する。
【００６４】
情報管理サーバ５０は、通信部５０１と、情報管理部５０２と、第１のＤＢ（データベース）５０３1と、第２のＤＢ５０３2と、情報変更通知部５０４とを有している。この情報管理サーバ５０は、時計部２０５がない点が図１に示した情報管理サーバ２０とは異なるが、時計部２０５と同様の時計部を設けても良い。
【００６５】
通信部５０１は、図１に示した通信部１０１と構成および動作が同一であるため、説明を省略する。
【００６６】
第１のＤＢ５０３1および第２のＤＢ５０３2は、携帯端末４０の機能を制限するイベントに関する情報を格納する部分である。
【００６７】
図５（ａ）を参照すると、第１のＤＢ５０３1には、携帯端末４０の機能を制限するイベントが行われるイベント実施場所の情報が格納されている。
【００６８】
図５（ｂ）を参照すると、第２のＤＢ５０３2には、第１のＤＢ５０３1に格納されているイベント実施場所にて行われるイベントのイベント実施日時およびイベント内容の情報が格納されている。なお、図５（ａ）および（ｂ）に示した情報はあくまで一例であり、本発明がこれに限定されないのは言うまでもない。
【００６９】
情報管理部５０２は、携帯端末４０にて測位された現在位置データが携帯端末４０からネットワーク６０を介して通信部５０１に送信されてきた場合に、第１のＤＢ５０３1および第２のＤＢ５０３2に格納されている全イベントについてのイベント実施場所、イベント実施日時およびイベント内容を含むイベント実施情報を、通信部５０１からネットワーク６０を介して携帯端末４０に送信する。
【００７０】
情報変更通知部５０４は、第１のＤＢ５０３1および第２のＤＢ５０３2の情報内容に変更があった場合には、変更後のイベント実施情報を通信部５０１からネットワーク６０を介して携帯端末４０に送信する。送信方法としては、電子メールによる送信が一般的なものとして考えられる。
【００７１】
次に、携帯端末４０の構成について説明する。
【００７２】
携帯端末４０は、例えば、携帯電話等であり、通信部４０１と、測位部４０２と、入力部４０３と、メモリ４０４と、スピーカ４０５と、マイク４０６と、表示部４０７と、カメラ４０８と、バイブレータ４０９と、時計部４１０と、制御部４１１とを有している。
【００７３】
通信部４０１、測位部４０２、入力部４０３、メモリ４０４、スピーカ４０５、マイク４０６、表示部４０７、カメラ４０８、バイブレータ４０９、および時計部４１０は、それぞれ、図１に示した通信部１０１、測位部１０２、入力部１０３、メモリ１０４、スピーカ１０５、マイク１０６、表示部１０７、カメラ１０８、バイブレータ１０９、および時計部１１０と構成および動作が同一であるため、説明を省略する。
【００７４】
本実施形態では、上記のスピーカ４０５、マイク４０６、表示部４０７、カメラ４０８、およびバイブレータ４０９の各構成要素が、携帯端末４０の機能制限を行う際の制御対象となる制御対象手段に該当するものとする。なお、制御対象手段は１つ以上設けられていればその数に制限はなく、また、制御対象手段を上記以外の構成要素とすることができることは言うまでもない。
【００７５】
制御部４１１は、携帯端末４０内の各構成要素を制御する部分である。特に、携帯端末４０の機能制限を行うか決定するとともに、機能制限を行うことに決定した場合、制御対象手段となっているスピーカ４０５、マイク４０６、表示部４０７、カメラ４０８、およびバイブレータ４０９の制御を行う。
【００７６】
制御部４１１は、情報管理サーバ５０から通信部４０１にイベント実施情報が送信されてきた場合に、当該イベント実施情報を参照し、携帯端末４０の現在位置がイベント実施場所のいずれかの位置に一致しているか、時計部４１０にて発生した現在日時が携帯端末４０の現在位置と一致するイベント実施場所でのイベント実施日時のいずれかと一致しているかに応じて携帯端末４０の制限内容を決定する。
【００７７】
具体的には、制御部４１１は、携帯端末４０の現在位置がイベント実施場所のいずれかの位置と一致している場合であっても、現在日時が当該イベント実施場所にて行われるイベントのイベント実施日時のいずれにも一致しない場合は、イベント実施場所に基づいて携帯端末４０の制限内容を決定する。また、携帯端末４０の現在位置がイベント実施場所のいずれかの位置と一致し、かつ、現在日時が当該イベント実施場所にて行われるイベントのイベント実施日時のいずれかに一致する場合は、当該イベント実施日時に行われるイベント内容に基づいて携帯端末４０の制限内容を決定する。
【００７８】
例えば、図５（ａ）および（ｂ）において、制御部４１１は、携帯端末４０の現在位置がＣ美術館の位置と一致すると判断した場合には、さらに、現在日時がＣ美術館の開館時間である１０：００−１８：００と一致するか判断する。ここで、現在日時がＣ美術館の開館時間内でないと判断した場合には、Ｃ美術館という場所に基づいて、例えば、「カメラ撮影」を制限することに決定する。また、現在日時がＣ美術館の開館時間内であると判断した場合には、開館時間内に行われている美術品展示という内容に基づいて、例えば、「通話」「鳴音着信報知」「カメラ撮影」を制限することに決定する。
【００７９】
なお、制御部４１１は、制限内容を決定するに際しては、例えば、メモリ部４０４に格納されたテーブル（不図示）を参照して決定を行う。このテーブルには、イベント実施場所（例えば、病院全般）に応じて制限内容が一意に決定される情報、イベント内容（コンサート全般）に応じて制限内容が一意に決定される情報等が含まれている。
【００８０】
さらに、制御部４１１は、上記で決定した制限内容に基づいて、上記のスピーカ４０５、マイク４０６、表示部４０７、カメラ４０８、およびバイブレータ４０９の各構成要素の一部または全部について、当該構成要素の一部または全部の動作を制御する。
【００８１】
例えば、図５（ａ）および（ｂ）において、制御部４１１は、携帯端末４０が現在Ｄ映画館に位置し、上映時間中であるために、「通話」「鳴音着信報知」「バックライト点灯」が制限することにした場合、スピーカ４０５およびマイク４０６については全部の動作を停止し、表示部４０７についてはバックライトが点灯しないよう一部の動作を停止するよう制御する。なお、制御部４１１は、携帯端末４０の機能制限を行わないことにした場合、携帯端末４０内の各構成要素を通常通り制御する。
【００８２】
以下、図４に示した通信システムの動作について、図６のフローチャートを参照して説明する。
【００８３】
図６を参照すると、まず、携帯端末４０において、測位部４０２が、携帯端末４０の現在位置を測位し（ステップ６０１）、測位した現在位置の情報を通信部４０１からネットワーク６０を介して情報管理サーバ５０に送信する（ステップ６０２）。
【００８４】
情報管理サーバ５０においては、ステップ６０２で携帯端末４０からネットワーク６０を介して送信されてきた携帯端末４０の現在位置の情報が通信部５０１にて受信された場合、情報管理部５０２が、第１のＤＢ５０３1および第２のＤＢ５０３2に格納されている全イベントについてのイベント実施場所、イベント実施日時およびイベント内容を含むイベント実施情報を、通信部５０１からネットワーク６０を介して携帯端末４０に送信する（ステップ６０３）。
【００８５】
携帯端末４０においては、ステップ６０３で情報管理サーバ５０からネットワーク６０を介して送信されてきたイベント実施情報が通信部４０１にて受信された場合、制御部４１１は、当該イベント実施情報を参照し、携帯端末４０の現在位置がイベント実施場所のいずれかの位置と一致するか判断する（ステップ６０４）。
【００８６】
ステップ６０４において、携帯端末４０の現在位置がイベント実施場所のいずれかの位置と一致する場合、続いて、制御部４１１は、時計部４１０にて発生した現在日時がそのイベント実施場所でのイベント実施日時のいずれかと一致するかを判断する（ステップ６０５）。
【００８７】
ステップ６０５において、現在日時がイベント実施日時のいずれかと一致する場合、制御部４１１は、イベント実施日時に行われるイベント内容に基づき携帯端末４０の制限内容を決定する（ステップ６０６）。
【００８８】
また、ステップ６０５において、現在日時がイベント実施日時のいずれかにも一致しない場合、制御部４１１は、イベント実施場所に基づき携帯端末４０の制限内容を決定する（ステップ６０７）。
【００８９】
続いて、制御部４１１は、ステップ６０６または６０７で決定した制限内容に基づき、携帯端末４０の機能制限を行うか否かを判断する（ステップ６０８）。
【００９０】
ステップ６０８において、携帯端末４０の機能制限を行う場合、制御部４１１は、ステップ６０６または６０７で決定した制限内容に基づいて、制御対象手段としてのスピーカ４０５、マイク４０６、表示部４０７、カメラ４０８、およびバイブレータ４０９の一部または全部の動作を制御する（ステップ６０９）。
【００９１】
また、ステップ６０８において、携帯端末４０の機能制限を行わない場合、制御部４１１は、携帯端末４０内の各構成要素を通常通り制御する（ステップ６１０）。
【００９２】
なお、本実施形態においては、携帯端末４０内の測位部４０２は、一定時間ごとに、現在位置を測位し、現在位置データを情報管理サーバ５０に送信することを行うため、図６の動作も一定時間ごとに行われることになる。
【００９３】
また、情報管理サーバ５０内の情報管理部５０２は、第１のＤＢ５０３1および第２のＤＢ５０３2の情報を、常時最新の情報に更新するものとする。これにより、例えば、サッカーの試合で延長戦が行われて試合時間が変更になったとしても、機能制限を行う時間を試合時間の変更に追従させることができる。
【００９４】
ただし、第１の実施形態で述べたものと同様の理由で、第１のＤＢ５０３1および第２のＤＢ５０３2の情報を最新情報に変更されたとしても、携帯端末４０が電波の届かない建物内に入る等の理由により、変更後のイベント実施情報が携帯端末４０に送信されない場合もある。そこで、情報管理サーバ５０内の情報変更通知部５０４は、第１のＤＢ５０３1および第２のＤＢ５０３2の情報の内容に変更があった場合には、変更後のイベント実施情報を通信部５０１からネットワーク６０を介して携帯端末４０に送信することとする。また、第１の実施形態で述べたものと同様の理由で、携帯端末４０内の制御部４１１は、情報管理サーバ５０から変更後のイベント実施情報が通知された場合にも、変更後のイベント実施情報に基づいて携帯端末４０の制限内容を決定し、決定した制限内容に基づいて、制御対象手段の一部または全部の動作を制御することとする。
【００９５】
また、第１の実施形態で述べたものと同様の理由で、情報管理サーバ５０内の情報管理部５０２は、第１のＤＢ５０３1および第２のＤＢ５０３2から実施内容が互いに異なる複数のイベント実施情報を取得する場合がある。その場合、情報管理サーバ５０内の情報管理部５０２は、複数のイベント実施情報を携帯端末４０にネットワーク６０を介して送信し、複数のイベント実施情報のいずれかを選択するよう促すこととする。この場合、携帯端末４０の制御部４１１は、機能制限情報の選択画面を表示部４０７に表示し、いずれかの機能制限情報を選択して選択結果を入力部４０３に入力するようユーザに指示しても良く、また、制御部４１１が独自に判断して制限が厳しくなるような情報を選択することとしても良い。
【００９６】
また、情報管理サーバ５０においては、第１のＤＢ５０３1および第２のＤＢ５０３2が分離されているが、第１のＤＢ５０３1および第２のＤＢ５０３2は一体になっていても良い。
【図面の簡単な説明】
【００９７】
【図１】本発明の第１の実施形態による通信システムの構成を示す図である。
【図２】図１に示した情報管理サーバにて管理されている情報を示す図であり、（ａ）は第１のＤＢに格納されている情報を示す図、（ｂ）は第２のＤＢに格納されている情報を示す図である。
【図３】図１に示した通信システムの動作を説明するフローチャートである。
【図４】本発明の第２の実施形態による通信システムの構成を示す図である。
【図５】図１に示した情報管理サーバにて管理されている情報を示す図であり、（ａ）は第１のＤＢに格納されている情報を示す図、（ｂ）は第２のＤＢに格納されている情報を示す図である。
【図６】図１に示した通信システムの動作を説明するフローチャートである。
【符号の説明】
【００９８】
１０，４０    携帯端末
２０，５０    情報管理サーバ
３０，６０    ネットワーク
１０１，４０１    通信部
１０２，４０２    測位部
１０３，４０３    入力部
１０４，４０４    メモリ
１０５，４０５    スピーカ
１０６，４０６    マイク
１０７，４０７    表示部
１０８，４０８    カメラ
１０９，４０９    バイブレータ
１１０，４１０    時計部
１１１，４１１    制御部
２０１，５０１    通信部
２０２，５０２    情報管理部
２０３，５０３    イベント情報ＤＢ
２０４，５０４    情報変更通知部
２０５    時計部
【図１】
2005175901.tif 000003
【図２】
2005175901.tif 000004
【図３】
2005175901.tif 000005
【図４】
2005175901.tif 000006
【図５】
2005175901.tif 000007
【図６】
2005175901.tif 000008